(57)【特許請求の範囲】
【請求項１】
鉄心と、
前記鉄心が挿入される孔を有するボビンと、
前記ボビンに巻回されたコイルと、
前記鉄心の一端に固定された継鉄と、
前記鉄心の他端に対向して設けられ、前記コイルに流れる電流によって生じた電磁力により前記鉄心の他端に吸引される接極子と、
前記継鉄と前記接極子とを接続するヒンジばねと、
前記ボビンを支持するベースと、
前記ベースに支持され、第１の平面を有する第１の接点を設けた導電性の第１の端子と、
前記ベース又は前記継鉄に支持され、第２の平面を有する第２の接点を設けた導電性の第２の端子と、
前記接極子と前記第２の端子との間に介在するカードと、を備え、
前記第２の端子は、前記ベース又は前記継鉄に支持された第１の矩形片と、前記第２の接点が設けられた第２の矩形片と、前記第１の矩形片と前記第２の矩形片と接続する接続部と、を有し、
前記第１の端子と前記第２の端子のうちの少なくとも一方がばね性を有し、前記第２の平面は、前記吸引に伴う前記接極子の移動により前記第２の矩形片を前記カードの移動方向と平行に移動させることにより前記第１の平面に平行な平面に沿って移動することによって、前記第１の平面に接触した状態から前記第１の平面に接触しない状態又は前記第１の平面に接触しない状態から前記第１の平面に接触した状態となることを特徴とする電磁リレー。
【請求項２】
前記第２の平面は、前記コイルに電流が流れていないときには前記第１の平面に接触しない状態となり、前記コイルに電流が流れているときには前記第１の平面に接触した状態となる請求項１に記載の電磁リレー。
【請求項３】
前記第２の平面は、前記コイルに電流が流れていないときには前記第１の平面に接触した状態となり、前記コイルに電流が流れているときには前記第１の平面に接触しない状態となる請求項１に記載の電磁リレー。
【請求項４】
前記第１の平面と同一平面上にある第３の面を有する第３の接点を設けた導電性の第３の端子を更に備え、前記第２の平面は、前記コイルに電流が流れていないときには前記第１の平面に接触した状態となり、前記コイルに電流が流れているときには前記第３の平面に接触した状態となる請求項１に記載の電磁リレー。
【請求項５】
前記第１の接点と前記第２の接点のうちの少なくとも一方は、前記第１の平面又は前記第２の平面に対する傾斜面を有し、前記傾斜面は、前記第２の平面が前記第１の平面に接触する際に前記第１の接点又は前記第２の接点に当接する請求項１から４のうちのいずれか一項に記載の電磁リレー。
【発明の詳細な説明】
【技術分野】
【０００１】
本発明は、電磁石により接点を物理的に動かして開閉する電磁リレーに関する。
【背景技術】
【０００２】
鉄心、ボビン、コイル、継鉄、接極子及びヒンジばねからなる電磁石を用いた電磁リレーは、各種産業機器において広く用いられている（例えば、特許文献１〜３）。図１は、従来の電磁リレーの一部切欠き斜視図である。
【０００３】
図１において、電磁リレー１は、ボビン２と、コイル３と、コイル端子４，５と、鉄心６と、継鉄７と、接極子８と、ヒンジばね９と、カード１０と、可動端子１１と、固定端子１２と、ベース１３と、カバー１４と、を備える。
【０００４】
ボビン２には、コイル３が巻回されるとともに、コイル３の両端をからげて接続されるコイル端子４，５が設けられる。また、ボビン２は、鉄心６が挿入される孔を有する。継鉄７は、鉄心６の一端に固定される。接極子８は、鉄心６の他端に対向して設けられ、ヒンジばね９によって継鉄７に接続される。電流源（図示せず）からコイル端子４，５を通じてコイル３に電流が供給されると、電磁力により接極子８が鉄心６の他端に吸引される。
【０００５】
接極子８にはカード１０の一端が嵌め込まれ、カード１０の他端には、可動端子１１の一端が嵌め込まれる。可動端子１１は、導電性であり、可動平面１５ａを有する可動接点１５が設けられている。固定端子１２は、導電性であり、可動平面に対向する固定平面１６ａを有する固定接点１６が設けられている。ベース１３は、ボビン２、可動端子１１の一端及び固定端子１２の一端を支持する。カバー１４は、電磁リレー１の上部をカバーする。
【０００６】
図２は、図１の電磁リレーの動作を説明するための図である。コイル３に電流が流れない場合、すなわち、接極子８が鉄心６の他端に吸引されない場合、可動平面１５ａは、図２Ａに示すように、ギャップΔを以って固定平面１６ａに対向した状態、すなわち、固定平面１６ａに接触しない状態となる。
【０００７】
それに対し、コイル３に電流が流れる場合、すなわち、接極子８が鉄心６の他端に吸引される場合、可動平面１５ａは、固定平面１６ａに垂直な平面に沿うように矢印Ａ１（図２Ａ）方向に移動して固定平面１６ａに正面から接触する。したがって、可動平面１５ａは、図２Ｂに示すように、固定平面１６ａに接触した状態となる。なお、コイル３への電流の供給を停止すると、接極子８が鉄心６の他端に吸引されなくなる。その後、可動平面１５ａは、固定平面１６ａに垂直な平面に沿うように矢印Ｂ１（図２Ｂ）方向に移動し、図２Ａに示すように、固定平面１６ａに接触しない状態となる。
【０００８】
このように可動平面１５ａが固定平面１６ａに正面から接触すると、可動平面１５ａと固定平面１６ａとの間のワイピングが困難となり、可動平面１５ａ及び固定平面１６ａの汚れやごみの付着を十分に除去することができなくなるので、電磁リレー１が動通不良となる場合がある。また、可動平面１５ａと固定平面１６ａとの間に発生するアークの位置と可動平面１５ａが移動する軌跡が同一であるため、可動平面１５ａが固定平面１６ａに溶着し、接点不良が生じる場合がある。
【０００９】
一方、コイルの中空に配置した鉄心の一端にコイルばねを取り付け、コイルの中空方向に垂直な方向に正面を向けた可動接点を有するブロックを鉄心の他端に取り付け、可動接点の到達位置に固定接点を配置した電磁リレーも提案されている（例えば、特許文献４）。この場合、鉄心を電磁力とコイルばねの復帰力によりコイルの中空方向に進退させることによって、接点の開閉を行っている。
【先行技術文献】
【特許文献】
【００１０】
【特許文献１】特開平４−３２２０２７号公報
【特許文献２】特開２００１−２５０４６４号公報
【特許文献３】特開平１１−２１３８３３号公報
【特許文献４】特開平４−３５９８２５号公報
【発明の概要】
【発明が解決しようとする課題】
【００１１】
しかしながら、可動接点の到達位置に固定接点を配置した従来の電磁リレーでは、可動接点を有するブロック及び固定接点を支持する端子のいずれもが、構造上の理由によりばね性を有することができないので、接点接触が不安定になるという不都合がある。
【００１２】
本発明の目的は、接点接触を不安定にすることなく接点同士のワイピングを十分に確保し、かつ、接点同士の溶着を回避することができる電磁リレーを提供することである。
【課題を解決するための手段】
【００１３】
本発明による電磁リレーは、鉄心と、前記鉄心が挿入される孔を有するボビンと、前記ボビンに巻回されたコイルと、前記鉄心の一端に固定された継鉄と、前記鉄心の他端に対向して設けられ、前記コイルに流れる電流によって生じた電磁力により前記鉄心の他端に吸引される接極子と、前記継鉄と前記接極子とを接続するヒンジばねと、前記ボビンを支持するベースと、前記ベースに支持され、第１の平面を有する第１の接点を設けた導電性の第１の端子と、前記ベース又は前記継鉄に支持され、第２の平面を有する第２の接点を設けた導電性の第２の端子と、を備え、前記第１の端子と前記第２の端子のうちの少なくとも一方がばね性を有し、前記第２の平面は、前記吸引に伴う前記接極子の移動により前記第１の平面に平行な平面に沿って移動することによって、前記第１の平面に接触した状態から前記第１の平面に接触しない状態又は前記第１の平面に接触しない状態から前記第１の平面に接触した状態となることを特徴とする。
【００１４】
好適には、前記接極子と前記第２の端子との間に介在するカードを更に備え、前記第２の端子が前記カードに嵌め込まれている。
【００１５】
好適には、前記接極子と前記第２の端子との間に介在するカードを更に備え、前記カードが前記接極子に嵌め込まれている。
【００１６】
好適には、前記接極子と前記第２の端子との間に介在するカードを更に備え、前記第２の端子と前記接極子のうちの少なくとも一方及び前記カードがインサート成形されている。
【００１７】
好適には、前記接極子と前記第２の端子との間に介在するカードを更に備え、前記第２の端子は、前記接極子の移動に伴う前記カードの移動に応じて回動する矩形片を有する。
【００１８】
好適には、前記第２の端子は、かしめ、溶接又はインサート成形によって前記接極子に接続されている。
【００１９】
好適には、前記第２の平面は、前記コイルに電流が流れていないときには前記第１の平面に接触しない状態となり、前記コイルに電流が流れているときには前記第１の平面に接触した状態となる。
【００２０】
好適には、前記第２の平面は、前記コイルに電流が流れていないときには前記第１の平面に接触した状態となり、前記コイルに電流が流れているときには前記第１の平面に接触しない状態となる。
【００２１】
好適には、前記第１の平面と同一平面上にある第３の面を有する第３の接点を設けた導電性の第３の端子を更に備え、前記第２の平面は、前記コイルに電流が流れていないときには前記第１の平面に接触した状態となり、前記コイルに電流が流れているときには前記第３の平面に接触した状態となる。
【００２２】
好適には、前記第２の端子は、前記ベース又は前記継鉄に支持された第１の矩形片と、前記第１の矩形片に接続され、前記第２の接点が設けられた第２の矩形片と、を有する。
【００２３】
好適には、前記第１の接点と前記第２の接点のうちの少なくとも一方は、前記第１の平面又は前記第２の平面に対する傾斜面を有し、前記傾斜面は、前記第２の平面が前記第１の平面に接触する際に前記第１の接点又は前記第２の接点に当接する。
【００２４】
好適には、前記第１の接点を、溶接又はかしめによって前記第１の端子に設け、前記第２の接点を、溶接又はかしめによって前記第２の端子に設ける。
【発明の効果】
【００２５】
本発明によれば、第２の平面は、吸引に伴う接極子の移動により第１の平面に平行な平面に沿って移動することによって、第１の平面に接触した状態から第１の平面に接触しない状態又は第１の平面に接触しない状態から第１の平面に接触した状態となるので、接点同士のワイピングを十分に確保することができる。また、第２の平面は、吸引に伴う接極子の移動により第１の平面に平行な平面に沿って移動するようにしているので、アークが発生する位置は、移動平面が移動する軌跡と異なるようになり、接点同士の溶着を回避することができる。さらに、第１の端子と第２の端子のうちの少なくとも一方がばね性を有するので、接点をたわませながら第１の平面と第２の平面とを接触させることができ、接点接触を安定にすることができる。
【図面の簡単な説明】
【００２６】
【図１】従来の電磁リレーの一部切欠き斜視図である。
【図２】図１の電磁リレーの動作を説明するための図である。
【図３】本発明による電磁リレーの第１の実施の形態の一部切欠き斜視図である。
【図４】図３の電磁リレーの動作を説明するための図である。
【図５】図１の電磁リレーの変形例の動作を説明するための図である。
【図６】本発明による電磁リレーの第２の実施の形態の一部切欠き斜視図である。
【図７】図６の電磁リレーの動作を説明するための図である。
【図８】本発明による電磁リレーの第３の実施の形態の一部切欠き斜視図である。
【図９】図８の電磁リレーの動作を説明するための図である。
【図１０】本発明による電磁リレーの第４の実施の形態の一部切欠き斜視図である。
【図１１】図１０の電磁リレーの動作を説明するための図である。
【図１２】本発明による電磁リレーの第５の実施の形態の一部切欠き斜視図である。
【図１３】図１１の電磁リレーの動作を説明するための図である。
【発明を実施するための形態】
【００２７】
本発明による電磁リレーの実施の形態を、図面を参照しながら詳細に説明する。
図３は、本発明による電磁リレーの第１の実施の形態の一部切欠き斜視図である。図３において、図１と共通する部分に同一符号を付す。電磁リレー２０は、ボビン２と、コイル３と、コイル端子４，５と、鉄心６と、継鉄７と、接極子８と、ヒンジばね９と、カード１０と、第２の端子としての可動端子２１と、第１の端子としての固定端子２２と、ベース１３と、カバー１４と、を備える。なお、電磁リレー２０のボビン２、コイル３、コイル端子４，５、鉄心６、継鉄７、接極子８、ヒンジばね９、カード１０、ベース１３及びカバー１４は、図１に示した電磁リレー１のボビン２、コイル３、コイル端子４，５、鉄心６、継鉄７、接極子８、ヒンジばね９、カード１０、ベース１３及びカバー１４と同一構成を有するので、これらの説明を省略する。
【００２８】
可動端子２１は、導電性であり、ベース１３に支持された第１の矩形片としての矩形片２１ａと、矩形片２１ａに接続され、可動平面２３ａを有する第２の接点としての可動接点２３が溶接又はかしめによって設けられた第２の矩形片としての矩形片２１ｂと、を有する。可動端子２１は、矩形片２１ａと矩形片２１ｂとの間の接続部がカード１０に嵌め込まれ又はインサート成形されている。
【００２９】
固定端子２２は、導電性であり、ベースに支持された矩形片２２ａと、矩形片２２ａに接続され、固定平面２４ａを有する固定接点２４が溶接又はかしめによって設けられた矩形片２２ｂと、を有する。本実施の形態では、可動端子２１と固定端子２２のうちの少なくとも一方がばね性を有する。
【００３０】
図４は、図３の電磁リレーの動作を説明するための図である。なお、図４Ａは、オフ状態の電磁リレー３０の一部切欠き側面図の一部を拡大したものに対応し、図４Ｂは、オン状態の電磁リレー３０の一部切欠き側面図の一部を拡大したものに対応する。コイル３に電流が流れない場合、すなわち、接極子８が鉄心６の他端に吸引されない場合、可動平面２３ａは、図４Ａに示すように、可動接点２３の中心と固定接点２４の中心との間の距離がＬ１である状態、すなわち、固定平面２４ａに接触しない状態となる。
【００３１】
それに対し、コイル３に電流が流れる場合、すなわち、接極子８が鉄心６の他端に吸引される場合、可動平面２３ａは、固定平面２４ａに平行な平面に沿うように矢印Ａ２（図４Ａ）方向（この場合、水平方向）に移動して固定平面２４ａに横方向から接触する。したがって、可動平面２３ａは、図４Ｂに示すように、固定平面２４ａに接触した状態となる。
【００３２】
コイル３への電流の供給を停止すると、接極子８が鉄心６の他端に吸引されなくなる。この場合、可動平面２３ａは、可動端子２１の復帰力及びヒンジばね９の力を利用して、固定平面２４ａに平行な平面に沿うように矢印Ｂ２（図４Ｂ）方向（この場合、水平方向）に移動し、図４Ａに示すように、固定平面２４ａに接触しない状態となる。
【００３３】
上述したように、電磁リレー２０は、コイル３に電流が流れない場合に可動平面２３ａが固定平面２４ａに接触しない状態となり、コイル３に電流が流れる場合に可動平面２３ａが固定平面２４ａに接触した状態となるので、メーク接点として機能する。
【００３４】
本実施の形態によれば、可動平面２３ａは、吸引に伴う接極子８の移動により固定平面２４ａに平行な平面に沿って移動することによって、固定平面２４ａに接触した状態から固定平面２４ａに接触しない状態又は固定平面２４ａに接触しない状態から固定平面２４ａに接触した状態となるので、接点同士のワイピングを十分に確保することができる。また、可動平面２３ａは、吸引に伴う接極子８の移動により固定平面２４ａに平行な平面に沿って移動するようにしているので、アークが発生する位置は、可動平面２３ａが移動する軌跡と異なるようになり、接点同士の溶着を回避することができる。さらに、可動端子２１と固定端子２２のうちの少なくとも一方がばね性を有するので、可動接点２３と固定接点２４のうちの少なくとも一方をたわませながら第１の平面と第２の平面とを接触させることができ、接点接触を安定にすることができる。
【００３５】
図５は、図１の電磁リレーの変形例の動作を説明するための図である。図５に示す変形例において、電磁リレー２０は、可動接点２３の代わりに、可動平面２３ａ’及びそれに対する傾斜面２３ｂ’を有する可動接点２３’を使用し、固定接点２４の代わりに、固定平面２４ａ’及びそれに対する傾斜面２４ｂ’を有する固定接点２４’を使用する。
【００３６】
コイル３に電流が流れない場合、すなわち、接極子８が鉄心６の他端に吸引されない場合、図５Ａに示すように、可動平面２３ａは、可動接点２３’の中心と固定接点２４’の中心との間の距離がＬ２である状態、すなわち、固定平面２４ａ’に接触しない状態となる。
【００３７】
それに対し、コイル３に電流が流れる場合、すなわち、接極子８が鉄心６の他端に吸引される場合、可動平面２３ａ’は、固定平面２４ａ’に平行な平面に沿うように矢印Ａ３（図５Ａ）方向（この場合、水平方向）に移動し、傾斜面２３ｂ’が傾斜面２４ｂ’に当接する（図５Ｂ）。その後、傾斜面２３ｂ’が傾斜面２４ｂ’の上をスライドし（図５Ｃ）、可動平面２３ａ’は、図５Ｄに示すように、固定平面２４ａ’に接触した状態となる。
【００３８】
コイル３への電流の供給を停止すると、接極子８が鉄心６の他端に吸引されなくなる。その後、可動平面２３ａは、固定平面２４ａに平行な平面に沿うように矢印Ｂ３（図５Ｄ）方向（この場合、水平方向）に移動し（図５Ｃ）、傾斜面２３ｂ’が傾斜面２４ｂ’に当接し（図５Ｂ）、図５Ａに示すように、固定平面２４ａに接触しない状態となる。
【００３９】
このように傾斜面２３ｂ’が傾斜面２４ｂ’を設けることによって、可動平面２３ａ’の固定平面２４ａ’への接触を更に円滑に行うことができる。
【００４０】
図６は、本発明による電磁リレーの第２の実施の形態の一部切欠き斜視図である。図６において、図１及び図３と共通する部分に同一符号を付す。電磁リレー３０は、ボビン２と、コイル３と、コイル端子４，５と、鉄心６と、継鉄７と、接極子８と、ヒンジばね９と、カード１０と、第２の端子としての可動端子３１と、第１の端子としての固定端子３２と、ベース１３と、カバー１４と、を備える。なお、電磁リレー３０のボビン２、コイル３、コイル端子４，５、鉄心６、継鉄７、接極子８、ヒンジばね９、カード１０、ベース１３及びカバー１４は、図１に示した電磁リレー１及び図３に示した電磁リレー２０のボビン２、コイル３、コイル端子４，５、鉄心６、継鉄７、接極子８、ヒンジばね９、カード１０、ベース１３及びカバー１４と同一構成を有するので、これらの説明を省略する。
【００４１】
可動端子３１は、導電性であり、ベース１３に支持された第１の矩形片としての矩形片３１ａと、矩形片３１ａに接続され、図３の可動接点２３と同一構成を有する可動接点３３が溶接又はかしめによって設けられた第２の矩形片としての矩形片３１ｂと、を有する。可動端子３１は、矩形片３１ｂに嵌め込まれ又はインサート成形されている。
【００４２】
固定端子３２は、導電性であり、ベースに支持された矩形片３２ａと、矩形片３２ａに接続され、図３の可動接点２４と同一構成を有する固定接点３４が溶接又はかしめによって設けられた矩形片３２ｂと、を有する。本実施の形態では、可動端子３１と固定端子３２のうちの少なくとも一方がばね性を有する。
【００４３】
図７は、図６の電磁リレーの動作を説明するための図である。なお、図７Ａは、オン状態の電磁リレー３０の一部切欠き側面図の一部を拡大したものに対応し、図７Ｂは、オフ状態の電磁リレー３０の一部切欠き側面図の一部を拡大したものに対応する。コイル３に電流が流れない場合、すなわち、接極子８が鉄心６の他端に吸引されない場合、図７Ａに示すように、可動端子３３の可動平面３３ａは、固定端子３４の固定平面３４ａに接触した状態となる。
【００４４】
それに対し、コイル３に電流が流れる場合、すなわち、接極子８が鉄心６の他端に吸引される場合、可動平面３３ａは、固定平面３４ａに平行な平面に沿うように矢印Ａ３（図７Ａ）方向（この場合、水平方向）に移動して固定平面３４ａから横方向に離間する。したがって、可動平面３３ａは、図７Ｂに示すように、可動接点３３の中心と固定接点３４の中心との間の距離がＬ２である状態、すなわち、固定平面３４ａに接触しない状態となる。
【００４５】
コイル３への電流の供給を停止すると、接極子８が鉄心６の他端に吸引されなくなる。その後、可動平面３３ａは、可動端子３１の復帰力及びヒンジばね９の力を利用して、固定平面３４ａに平行な平面に沿うように矢印Ｂ３（図７Ｂ）方向（この場合、水平方向）に移動し、図７Ａに示すように、固定平面３４ａに接触した状態となる。
【００４６】
上述したように、電磁リレー３０は、コイル３に電流が流れない場合に可動平面３３ａが固定平面３４ａに接触した状態となり、コイル３に電流が流れる場合に可動平面３３ａが固定平面３４ａに接触しない状態となるので、ブレイク接点として機能する。
【００４７】
本実施の形態によれば、上記第１の実施の形態と同様に、接点同士のワイピングを十分に確保し、接点同士の溶着を回避し、かつ、接点接触を安定にすることができる。
【００４８】
図８は、本発明による電磁リレーの第３の実施の形態の一部切欠き斜視図である。図８において、図６と共通する部分に同一符号を付す。電磁リレー４０は、ボビン２と、コイル３と、コイル端子４，５と、鉄心６と、継鉄７と、接極子８と、ヒンジばね９と、カード１０と、可動端子３１と、固定端子３２と、固定端子４１と、ベース１３と、カバー１４と、を備える。なお、電磁リレー２０のボビン２、コイル３、コイル端子４，５、鉄心６、継鉄７、接極子８、ヒンジばね９、カード１０、可動端子３１、固定端子３２、ベース１３及びカバー１４は、図６に示した電磁リレー３０のボビン２、コイル３、コイル端子４，５、鉄心６、継鉄７、接極子８、ヒンジばね９、カード１０、可動端子３１、固定端子３２、ベース１３及びカバー１４と同一構成を有するので、これらの説明を省略する。
【００４９】
固定端子４１は、導電性であり、ベースに支持された矩形片４１ａと、矩形片４１ａに接続され、固定接点３２と同一構成を有する固定接点４２が溶接又はかしめによって設けられた矩形片４２ｂと、を有する。本実施の形態では、固定端子４１はばね性を有してもよい。
【００５０】
図９は、図８の電磁リレーの動作を説明するための図である。なお、図９Ａは、一方のオン状態の電磁リレー４０の一部切欠き側面図の一部を拡大したものに対応し、図９Ｂは、他方のオフ状態の電磁リレー４０の一部切欠き側面図の一部を拡大したものに対応する。コイル３に電流が流れない場合、すなわち、接極子８が鉄心６の他端に吸引されない場合、図９Ａに示すように、可動端子３３の可動平面３３ａは、固定端子３４の固定平面３４ａに接触した状態となる。
【００５１】
それに対し、コイル３に電流が流れる場合、すなわち、接極子８が鉄心６の他端に吸引される場合、可動平面３３ａは、固定平面３４ａに平行な平面に沿うように矢印Ａ４（図７Ａ）方向（この場合、水平方向）に移動して固定平面３４ａに正面から離間し、固定端子４２の固定平面４２ａに接触する。したがって、可動平面３３ａは、図９Ｂに示すように、固定平面４２ａに接触しない状態となる。
【００５２】
コイル３への電流の供給を停止すると、接極子８が鉄心６の他端に吸引されなくなる。その後、可動平面３３ａは、可動端子３１の復帰力及びヒンジばね９の力を利用して、固定平面３４ａに平行な平面に沿うように矢印Ｂ４（図９Ｂ）方向（この場合、水平方向）に移動し、図９Ａに示すように、固定平面３４ａに接触した状態となる。
【００５３】
上述したように、電磁リレー３０は、コイル３に電流が流れない場合に可動平面３３ａが固定平面３４ａに接触した状態となり、コイル３に電流が流れる場合に可動平面３３ａが固定平面４２ａに接触した状態となるので、トランスファー接点として機能する。
【００５４】
本実施の形態によれば、上記第１及び第２の実施の形態と同様に、接点同士のワイピングを十分に確保し、接点同士の溶着を回避し、かつ、接点接触を安定にすることができる。
【００５５】
図１０は、本発明による電磁リレーの第４の実施の形態の一部切欠き斜視図である。図１０において、図１及び図３と共通する部分に同一符号を付す。電磁リレー５０は、ボビン２と、コイル３と、コイル端子４，５と、鉄心６と、継鉄７と、接極子８と、ヒンジばね９と、カード１０’と、第２の端子としての可動端子５１と、第１の端子としての固定端子５２と、ベース１３と、カバー１４と、を備える。なお、電磁リレー５０のボビン２、コイル３、コイル端子４，５、鉄心６、継鉄７、接極子８、ヒンジばね９、ベース１３及びカバー１４は、図１に示した電磁リレー１及び図３に示した電磁リレー２０のボビン２、コイル３、コイル端子４，５、鉄心６、継鉄７、接極子８、ヒンジばね９、ベース１３及びカバー１４と同一構成を有するので、これらの説明を省略する。また、カード１０’は、可動端子５１の一端がカード１０’の一端に挿入された点を除いては、図１に示した電磁リレー１及び図３に示した電磁リレー２０のカード１０と同一であるので、その説明を省略する。
【００５６】
可動端子５１は、導電性であり、接極子８の移動に伴うカード１０’の移動に伴ってカバー１４に回動自在に支持される矩形片５１ａを有する。可動端子５１の他端には、図３の可動接点２３と同一構成を有する可動接点５３が溶接又はかしめによって設けられている。
【００５７】
固定端子５２は、導電性であり、ベースに支持された矩形片５２ａを有し、図３の固定接点２４と同一構成を有する固定接点３４が溶接又はかしめによって設けられている。本実施の形態では、可動端子５１と固定端子５２のうちの少なくとも一方がばね性を有する。
【００５８】
図１１は、図１０の電磁リレーの動作を説明するための図である。なお、図１０Ａは、オフ状態の電磁リレー５０の一部切欠き斜視図の一部を拡大したものに対応し、図１０Ｂは、オフ状態の電磁リレー５０の一部切欠き側面図の一部を拡大したものに対応し、図１０Ｃは、オン状態の電磁リレー５０の一部切欠き斜視図の一部を拡大したものに対応し、図１０Ｄは、オン状態の電磁リレー５０の一部切欠き側面図の一部を拡大したものに対応する。コイル３に電流が流れない場合、すなわち、接極子８が鉄心６の他端に吸引されない場合、図１０Ａ及び図１０Ｂに示すように、可動接点５３の可動平面５３ａは、可動接点５３の中心と固定接点５４の中心とが所定の円弧距離だけ離間している状態、すなわち、固定接点５４の固定平面５４ａに接触しない状態となる。
【００５９】
それに対し、コイル３に電流が流れる場合、すなわち、接極子８が鉄心６の他端に吸引される場合、可動平面５３ａは、可動端子５１に固定され及びカバー１４に回動自在に設けられた回動軸５５を中心として、固定平面５４ａに平行な平面に沿うように矢印Ａ５（図１１Ａ）方向（この場合、垂直方向）に所定の角度だけ回動して固定平面５４ａに正面から接触する。したがって、可動平面５３ａは、図１１Ｃ及び図１１Ｄに示すように、固定平面５４ａに接触した状態となる。
【００６０】
コイル３への電流の供給を停止すると、接極子８が鉄心６の他端に吸引されなくなる。その後、可動平面５３ａは、可動端子５１の復帰力及びヒンジばね９の力を利用して、固定平面５４ａに平行な平面に沿うように矢印Ｂ５（図１１Ｃ）方向（この場合、垂直方向）に移動し、図１１Ａ及び図１１Ｂに示すように、固定平面２４ａに接触しない状態となる。
【００６１】
上述したように、電磁リレー５０は、コイル３に電流が流れない場合に可動平面５３ａが固定平面５４ａに接触しない状態となり、コイル３に電流が流れる場合に可動平面５３ａが固定平面５４ａに接触した状態となるので、メーク接点として機能する。
【００６２】
本実施の形態によれば、上記第１〜３の実施の形態と同様に、接点同士のワイピングを十分に確保し、接点同士の溶着を回避し、かつ、接点接触を安定にすることができる。
【００６３】
図１２は、本発明による電磁リレーの第５の実施の形態の一部切欠き斜視図である。図１２において、図１及び図３と共通する部分に同一符号を付す。電磁リレー６０は、ボビン２と、コイル３と、コイル端子５と、鉄心６と、継鉄７と、接極子８と、ヒンジばね９と、第２の端子としての可動端子６１と、第１の端子としての固定端子６２と、ベース１３と、カバー１４と、を備える。なお、電磁リレー６０のボビン２、コイル３、コイル端子５、鉄心６、継鉄７、接極子８、ヒンジばね９、ベース１３及びカバー１４は、図１に示した電磁リレー１及び図３に示した電磁リレー３０のボビン２、コイル３、コイル端子５、鉄心６、継鉄７、接極子８、ヒンジばね９、ベース１３及びカバー１４と同一構成を有するので、これらの説明を省略する。
【００６４】
可動端子６１は、導電性であり、継鉄７に支持された第１の矩形片としての矩形片６１ａと、矩形片６１ａに接続され、図１の可動端子２３と同一構成を有する可動接点６３が溶接又はかしめによって設けられた第２の矩形片としての矩形片６１ｂと、を有する。
【００６５】
固定端子６２は、導電性であり、ベースに支持され、図１の固定端子２４と同一構成を有する固定接点６４が溶接又はかしめによって設けられた矩形片６２ｂを有する。本実施の形態では、可動端子６１がばね性を有する。
【００６６】
図１３は、図１２の電磁リレーの動作を説明するための図である。なお、図１３Ａは、オフ状態の電磁リレー６０の一部切欠き側面図の一部を拡大したものに対応し、図１３Ｂは、オン状態の電磁リレー６０の一部切欠き側面図の一部を拡大したものに対応する。コイル３に電流が流れない場合、すなわち、接極子８が鉄心６の他端に吸引されない場合、図１３Ａに示すように、可動接点６３の可動平面６３ａは、可動接点６３の中心と固定接点６４の中心との間の距離がＬ３である状態、すなわち、固定接点６４の固定平面６４ａに接触しない状態となる。
【００６７】
それに対し、コイル３に電流が流れる場合、すなわち、接極子８が鉄心６の他端に吸引される場合、可動平面６３ａは、固定平面６４ａに平行な平面に沿うように矢印Ａ６（図１３Ａ）方向（この場合、水平方向）に移動して固定平面６４ａに横方向から接触する。したがって、可動平面６３ａは、図１３Ｂに示すように、固定平面６４ａに接触した状態となる。
【００６８】
コイル３への電流の供給を停止すると、接極子８が鉄心６の他端に吸引されなくなる。その後、可動平面６３ａは、可動端子６１の復帰力及びヒンジばね９の力を利用して、固定平面６４ａに平行な平面に沿うように矢印Ｂ６（図１３Ｂ）方向（この場合、水平方向）に移動し、図１３Ａに示すように、固定平面６４ａに接触しない状態となる。
【００６９】
上述したように、電磁リレー６０は、コイル３に電流が流れない場合に可動平面６３ａが固定平面６４ａに接触しない状態となり、コイル３に電流が流れる場合に可動平面６３ａが固定平面６４ａに接触した状態となるので、メーク接点として機能する。
【００７０】
本実施の形態によれば、上記第１〜４の実施の形態と同様に、接点同士のワイピングを十分に確保し、接点同士の溶着を回避し、かつ、接点接触を安定にすることができる。
【００７１】
本発明は、上記実施の形態に限定されるものではなく、幾多の変更及び変形が可能である。例えば、上記実施の形態では、カードを有しない電磁リレーがメーク接点を構成する場合について説明したが、カードを有しない電磁リレーがブレイク接点又はトランスファー接点を構成する場合についても本発明を適用することができる。
【００７２】
また、上記実施の形態では、傾斜面を可動接点と固定接点の両方に設ける場合について説明したが、傾斜面を可動接点と固定接点のいずれか一方に設ける場合についても本発明を適用することができる。
【符号の説明】
【００７３】
１，２０，３０，４０，５０，６０    電磁リレー
２    ボビン
３    コイル
４，５    コイル端子
６    鉄心
７    継鉄
８    接極子
９    ヒンジばね
１０    カード
１１，２１，３１，５１、６１    可動端子
１２，２２，３２，４１，５２、６２    固定端子
１３    ベース
１４    カバー
１５，２３，２３’，３３，５３、６３    可動接点
１５ａ，２３ａ，２３ａ’，３３ａ，５３ａ、６３ａ    可動平面
１６，２４，３４，４２，５４    固定接点
１６ａ，２４ａ，２４ａ’３４ａ，４２ａ，５４ａ    固定平面
２１ａ，２１ｂ，２２ａ，２２ｂ，３１ａ，３１ｂ，３２ａ，３２ｂ，４１ａ，４１ｂ、５１ａ，５２ａ    矩形片
２３ｂ’，２４ｂ’    傾斜面
５５    回動軸
【図１】
0005901146.tif 000002
【図２】
0005901146.tif 000003
【図３】
0005901146.tif 000004
【図４】
0005901146.tif 000005
【図５】
0005901146.tif 000006
【図６】
0005901146.tif 000007
【図７】
0005901146.tif 000008
【図８】
0005901146.tif 000009
【図９】
0005901146.tif 000010
【図１０】
0005901146.tif 000011
【図１１】
0005901146.tif 000012
【図１２】
0005901146.tif 000013
【図１３】
0005901146.tif 000014